(57)【要約】【課題】  廃棄物管理票を用いた廃棄物リサイクルシステムを提供する。【解決手段】  廃棄物回収処理における受け渡し状況を管理する管理票を備え、該管理票の識別番号を記載する欄を設けたシールを廃棄物に添付するようにしたリサイクルシステム。【選択図】図１
2005170684.tif 000002
【特許請求の範囲】
【請求項１】
廃棄物の回収から輸送を経て処理・処分に至る一連の流れにおける廃棄物の受け渡し状況を管理票で管理する廃棄物回収処理システムにおいて、
前記管理票の識別番号を記載する欄を有するシールを添付した廃棄物と、
該廃棄物の個体識別番号を記載する欄を有する管理票とによって、
廃棄物と管理票を対応づけることを特徴とする廃棄物リサイクルシステム。
【請求項２】
廃棄物の回収から輸送を経て処理・処分に至る一連の流れにおける廃棄物の受け渡し状況を管理票で管理する廃棄物回収処理システムにおいて廃棄物に添付されるシールであって、
廃棄物を個体識別するためのシールに固有の番号および対応するバーコードが付与されており、
前記管理票の識別番号を記載する欄を有することを特徴とする個体識別シール。
【請求項３】
廃棄物の回収から輸送を経て処理・処分に至る一連の流れにおける廃棄物の受け渡し状況を管理票で管理する廃棄物回収処理システムにおいて廃棄物に添付されるシールであって、
固有の同一バーコードを２つ有し、そのうちの一方をはがすことができ、
前記管理票に添付することを特徴とする個体識別シール。
【請求項４】
廃棄物の回収から輸送を経て処理・処分に至る一連の流れにおける廃棄物の受け渡し状況を管理票で管理する廃棄物回収処理システムにおいて廃棄物に添付されるシールであって、
固有の同一バーコードを２つ以上有し、そのうちの１つ以外ははがすことができ、
前記はがすことができるバーコードのうち１つは前記管理票に添付し、
前記はがすことのできるバーコードのうち少なくとも１つを、前記廃棄物の処理にともなって発生する少なくとも１つ以上の再利用可能な物質ならびに処分が必要な物質のうちの、少なくとも１つに添付することを特徴とする個体識別シール。
【請求項５】
廃棄物の再商品化料金徴収済を表すシール、該シールを発行するシール発行手段、前記シールが添付された廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
前記シールは請求項２〜４のいずれかであることを特徴とする廃棄物リサイクルシステム。
【請求項６】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
前記サイクル手段による処理で発生した再利用可能な物質ならびに処分が必要な残渣のうち、少なくとも一方にも前記シールを添付することを特徴とする廃棄物リサイクルシステム。
【請求項７】
廃棄物の回収から輸送を経て処理・処分に至る一連の流れにおける廃棄物の受け渡し状況を管理する管理票において、
固有の識別番号および対応するバーコードが付与されており、
廃棄物の個体識別番号を記載する欄を有することを特徴とする廃棄物管理票。
【請求項８】
廃棄物の回収から輸送を経て処理・処分に至る一連の流れにおける廃棄物の受け渡し状況を管理する管理票において、
固有の同一バーコードを２つ有し、そのうちの一方をはがすことができ、
廃棄物に直接、または廃棄物を管理するシールに添付することを特徴とする廃棄物管理票。
【請求項９】
廃棄物の回収から輸送を経て処理・処分に至る一連の流れにおける廃棄物の受け渡し状況を管理する管理票において、
固有の識別番号および対応するバーコードと、
廃棄物を個体識別するためのシールに固有の番号を記載する欄および対応するバーコードが付与されており、
廃棄物に添付することを特徴とする廃棄物管理票。
【請求項１０】
廃棄物の回収から輸送を経て処理・処分に至る一連の流れにおける廃棄物の受け渡し状況を管理票で管理する廃棄物回収処理システムにおいて、
前記管理票には廃棄物の再商品化料金の受領済みを表す情報が付与されていることを特徴とする廃棄物管理票。
【請求項１１】
廃棄物の回収から輸送を経て処理・処分に至る一連の流れにおける廃棄物の受け渡し状況を管理する管理票において、
固有の識別番号および対応するバーコードが付与されており、
廃棄物の個体識別番号を記載する欄および、
廃棄物の処理によって発生した再利用可能な物質ならびに処分が必要な残渣のうち少なくとも一方の受け渡しの情報を記載する欄を有していることを特徴とする廃棄物管理票。
【請求項１２】
廃棄物の回収から輸送を経て処理・処分に至る一連の流れにおける廃棄物の受け渡し状況を管理する管理票において、
固有の識別番号および対応するバーコードと、
廃棄物を個体識別するためのシールに固有の番号を記載する欄および対応するバーコードが付与されており、
かつ廃棄物の処理によって発生した再利用可能な物質ならびに処分が必要な残渣のうち少なくとも一方の引き渡しの情報を記載する欄を有しており、
廃棄物に添付することを特徴とする管理票。
【請求項１３】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
シールのバーコード番号と対をなす管理票番号とを格納するデータベース手段を有し、前記廃棄物保管手段で廃棄物を受け取る際に、前記シール上のバーコード番号および管理票番号を読み取りまたは入力して該入力情報を前記データベース手段に格納するとともに、管理票上の管理票番号を読み取り前記データベース手段に格納し、廃棄物に添付された前記シール上のバーコード番号に対応する管理票番号を持つ管理票の有無を確認する照合手段を有することを特徴とする廃棄物リサイクルシステム。
【請求項１４】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
シールのバーコード番号と対をなす管理票番号とを格納するデータベース手段を有し、前記廃棄物保管手段で廃棄物を受け取る際に、前記シール上のバーコード番号および管理票番号を読み取りまたは入力して該入力情報を前記データベース手段に格納するとともに、管理票上の管理票番号を読み取り前記データベース手段に格納し、管理票上の管理番号と同一の管理番号を有するシールを添付された廃棄物の有無を確認する照合手段を有することを特徴とする廃棄物リサイクルシステム。
【請求項１５】
廃棄物の再商品化料金徴収済を表すシール、該シールを発行するシール発行手段、前記シールが添付された廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
前記シール発行手段において受領した料金情報を管理する料金情報管理手段を有し、該料金情報管理手段で前記料金情報を、前記廃棄物保管手段の保管料金情報と、廃棄物二次輸送手段の二次輸送料金情報と、前記リサイクル手段のリサイクル料金情報とに配分するリサイクル料金配分手段を有することを特徴とする廃棄物リサイクルシステム。
【請求項１６】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
前記廃棄物保管手段における廃棄物の種類と量を入力する入力手段を有し、前記廃棄物保管手段の該入力手段と通信回線で結ばれ、該入力手段から送られた情報を廃棄物保管手段別に管理する廃棄物保管情報管理手段を有し、前記リサイクル手段の処理量あるいは／およびストック量と前記廃棄物品保管情報管理手段の情報とに基づいて前記複数の廃棄物保管手段から前記リサイクル手段に輸送する廃棄物の輸送ルート，輸送車量，輸送品目，廃棄物の品目ごとの量などの輸送計画を決定する廃棄物輸送計画決定手段を有することを特徴とする廃棄物リサイクルシステム。
【請求項１７】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
収集した廃棄物の量と種類に応じて前記リサイクル手段の運転処理計画を立案する運転処理計画立案手段を有することを特徴とする廃棄物リサイクルシステム。
【請求項１８】
廃棄物の再商品化料金徴収済を表すシール、該シールを発行するシール発行手段、前記シールを添付した廃棄物を受け取り輸送する廃棄物受領・一次輸送手段、該廃棄物受領・一次輸送手段が輸送した廃棄物を保管する廃棄物保管手段、該廃棄物保管手段で一時保管した廃棄物を輸送する廃棄物二次輸送手段、該廃棄物二次輸送手段が輸送した廃棄物を受け取り分解・選別処理するリサイクル手段を有する廃棄物回収処理システムにおいて、
前記リサイクル手段における処理結果の情報を入力する処理結果情報入力手段と、該処理結果情報入力手段で入力した情報を格納するデータベース手段と、該データベース手段に格納された前記処理結果情報に基づいて、特定の廃棄物の処理終了の有無の情報を出力する処理終了情報出力手段を有することを特徴とする廃棄物リサイクルシステム。
【請求項１９】
家電品の回収から輸送を経て処理・処分に至る一連の流れにおける家電品の受け渡し状況を管理票で管理する家電品回収処理システムにおいて、
家電品の個体識別番号または対応するバーコードの少なくとも一方が付与されかつ前記管理票の識別番号を記載する欄を有するシールを、添付したことを特徴とする家電品。
【請求項２０】
家電品の回収から輸送を経て処理・処分に至る一連の流れにおける家電品の受け渡し状況を管理票で管理する家電品回収処理システムにおいて、
家電品の個体識別番号に対応するバーコードならびに前記管理票の識別番号に対応するバーコードの双方が付与されたシールを、添付したことを特徴とする家電品。
【請求項２１】
家電品の回収から輸送を経て処理・処分に至る一連の流れにおける家電品の受け渡し状況を管理票で管理する家電品回収処理システムにおいて、
家電品の個体識別番号に対応するバーコードならびに前記管理票の識別番号に対応するバーコードの双方が付与された管理票を、添付したことを特徴とする家電品。
【請求項２２】
家電品の回収から輸送を経て処理・処分に至る一連の流れにおける家電品の受け渡し状況を管理票で管理する家電品回収処理システムにおいて、
家電品の再商品化料金の受領済みを表す情報が付与された前記管理票を添付したことを特徴とする家電品。
【請求項２３】
廃家電品の受け渡し状況を管理票で管理する廃家電品リサイクルシステムであって、
該管理票の管理票番号、該廃家電品の品目及び該廃家電品のメーカー名を入力する情報入力手段と、
該情報入力手段により入力された情報を送信する送信手段と、を備えた廃家電品リサイクルシステム。
【請求項２４】
廃家電品の受け渡し状況を管理票で管理する廃家電品の管理方法であって、
該管理票の管理票番号、該廃家電品の品目及び該廃家電品のメーカー名を入力する情報入力工程と、
該情報入力工程により入力された情報を送信する送信工程と、を含む廃家電品の管理方法。
【発明の詳細な説明】
【技術分野】
【０００１】
本発明は廃棄物のリサイクルシステムに関するもので、特に管理票を用いた廃棄物の管理、例えば廃家電品のリサイクルなどにおいて利用されるものである。
【背景技術】
【０００２】
廃棄物の回収から輸送を経て処理・処分に至る一連の廃棄物回収処理システムの管理についてはさまざまに研究が重ねられてきており、その成果の例としては発明者らによる特開平5−342224 号公報がある。この発明では、バーコードなどをもちいて廃棄物を特定し、特定した情報を用いて保管手段ならびにリサイクル手段の廃棄物量を把握し、保管手段からリサイクル手段への輸送を制御・管理・計画することなどが記載されている。また、回収から保管・輸送を経て処理・処分に至る一連の廃棄物回収処理システムの管理における廃棄物の受け渡しに関する公知の管理方法としては、廃棄物の最初の受け付けの段階において、廃棄物の種類や量、排出者に関する情報を記載したひとつづりの管理票を発行し、廃棄物の受け渡しの各段階において各控えを保管してゆく管理方法が実施されるようになってきている。
【０００３】
発明者らは、この管理票による廃棄物の管理方法を鋭意研究し、また前述の発明例を発展させて、廃家電品の現品追跡管理機能を新たに付与することにより、廃棄物の受け取り・保管・輸送・リサイクルを効率的に管理し、コストを低減しかつ同時に安全性と処理の確実性を著しく向上するシステムを考案したのでここに報告する。
【０００４】
【特許文献１】特開平５−３４２２２４号公報
【発明の開示】
【発明が解決しようとする課題】
【０００５】
以下に、前述の発明を含む従来技術では解決できなかった課題を列挙し、その問題点を説明して、解決すべき課題を示す。
【０００６】
前述の従来技術において解決できなかった課題を以下に列挙し、その問題点を説明する。
【０００７】
（１）廃棄物の個体識別管理の困難性
これは、廃棄物が不定形かつ、発生頻度と量も不定であること、ならびに、個々の廃棄物の発生時点では、他の廃棄物の個体と識別できても、回収・輸送・処理などの課程をへるうちに、例えば大型の運搬車による輸送や、廃棄物集積場における保管のあいだに、他の廃棄物の個体と一緒になり混合するうちに、廃棄物がたがいに交じり合い互いに区別がつかなくなることによるものである。
【０００８】
このことは、受け取った廃棄物が、輸送や保管ならびに処理などの課程で、実際にどのように移動していっているかの把握を困難にしている。このために、廃棄物リサイクルシステムにおける、廃棄物の最終的な適正処理についての精確な保証が困難になっており、また一部での廃棄物不法投棄の遠因にもなっている。
【０００９】
このような問題が存在すると言うことは、廃棄物を管理するための従来の管理票が十分に機能していないことを表している。この点からみた問題点はおもに次の２点である。
【００１０】
（ａ）最大の問題は廃棄物の現品と廃棄物がばらばらになった時、とりわけ管理票が紛失したり、行方不明になったときに、現品に関するほとんどの情報が失われることであり、この場合例えば廃棄物の性状に関する情報が失われたりすることによって、当該廃棄物の現品を適切に処理することは難しくなったりすることが多い。
【００１１】
（ｂ）廃棄物の管理票に記載された情報は、廃棄物の現品を目視しても、容易に確認できない場合が多い。例えば、管理票には廃棄物の種類や量，性状，排出者名が記載されていても、廃棄物の現品を目視してこれらの情報を確認できないと、管理票と廃棄物の照合は確認できず、この照合作業は非常に多くの労力と時間を要し、かつ正確さに欠けるものである。現実のリサイクルシステムの運用業務において、日々トラックなどで大量にまとめて輸送されてくる廃棄物に対してこの照合作業を行う場合、管理票の１枚１枚に対応する廃棄物を探し出して記載情報の照合を行うことは、非常に困難かつ非効率的であり、しかも間違いが多い。さらに廃棄物の現品の性状は、管理票に記載された情報との照合が完了するまでわからないため、照合の作業は作業者にとっては危険でもある。
【００１２】
したがって、以上の問題を解決するためには、廃棄物を容易に個体識別・追跡できるようにすることと、これを実現する管理票による管理システムを確立することが求められている。
【００１３】
（２）リサイクルシステムの高効率化をめざした積極的な運用の困難性
前述の問題点で説明したように、廃棄物は個体別の識別管理が難しく、このことは例えば、廃棄物リサイクル処理を行う（以下リサイクル手段、と呼ぶ）における処理料金を低減できるように該リサイクル手段の稼働率を高く保つ、といった積極的な制御が困難にしており、リサイクルシステムの全体を計画的かつ効率的に運用を困難にしているといえる。このような状況は例えば次のような問題を生む。
【００１４】
（ａ）例えばリサイクル手段の現実の運転は、搬入された廃棄物をその量に変動のいかんにかかわらず、そのままうけいれて処理することが多い。該リサイクル手段での廃棄物受入量の制御方法としては、受入量が定格の処理容量を超過しそうなときにバッファリングをする程度である。このような場合、供給される廃棄物の量が逆に低くなると、リサイクル手段の稼動の効率は低下し、処理コストが増大して経済性も悪化することになり、悪化してもこれを常態的に改善して行くしくみになっていない。
【００１５】
（ｂ）このことは例えばリサイクル手段では、廃棄物発生量の季節変動による受入量の減少や、近隣地域のリサイクル手段の故障などによる、当該リサイクル手段への廃棄物受入量の増加、といったリサイクル手段の周囲の情報に対して柔軟に対応できないという問題にもつながる。
【００１６】
（ｃ）また、受入から保管，輸送を経てきた廃棄物が送られるリサイクル手段の候補が複数ある場合に、廃棄物の性状の情報に応じて適切なリサイクル手段を選定することも困難になる。このためにリサイクル手段に処理不適な廃棄物成分が供給されて、事故や有害物質の漏出をまねく危険性が高くなる。
【００１７】
（ｄ）さらには、廃棄物の情報やリサイクルに関わる一連の受け渡し情報が十分に管理されていないために、以上のようないかなる不都合にあっても、原因をすみやかに定量的に解明することは困難である。
【００１８】
以上の問題を解決するためには、廃棄物の情報および・リサイクル手段以外のリサイクルシステム全体の情報を物流・輸送を含めて効率的に管理して計画的に運用することが求められている。
【００１９】
（３）リサイクルシステム全体の料金情報の把握の困難性
これはリサイクルシステムにおける料金情報と廃棄物の流れが十分に対応してないことによる。このことに関しては次の問題がある。
【００２０】
（ａ）リサイクルにおける料金授受と物量・内容の関係がはっきり対応して管理できない。このために、経済的に効率的な運用をすることが困難になっている。
【００２１】
（ｂ）たとえリサイクルシステムの一部分の経済効率がよくなっても、全体の経済効率がよくなったかどうかわからない。
【００２２】
以上の問題を解決するためには、廃棄物の個体管理と統合された料金情報管理を行うとともに、リサイクルシステム全体とその中の各段階での両方の料金情報が管理できることが求められている。
【００２３】
（４）処理の終了時点の把握の困難性
これは前述のように、廃棄物の個体識別管理の困難さが遠因であり、この結果不法投棄などの遠因となっている。この他廃棄物のリサイクルシステムにおいては、排出者から受け取った廃棄物について、前記受け取りの後に保管，輸送を経てリサイクル処理するどの段階にあるかを、排出者からの照会された場合に、回答することを困難にしている。
【００２４】
これらの問題を解決するためには、廃棄物の不法投棄を防止できるようにするために、前述の廃棄物の個体識別管理技術の確立の他にも、リサイクル手段における処理終了の情報を管理する方法を確立することが求められている。
【課題を解決するための手段】
【００２５】
本発明では前述の各課題を解決するために以下の工夫を導入した。
【００２６】
前述の第１番目の問題を解決するための課題として、廃棄物を容易に個体識別・追跡できるようにし、かつ、これを実現する管理票システムを確立するために、以下の１.〜５.の工夫を行った。
【００２７】
１．廃棄物に該廃棄物を個体識別するシールを添付する。
【００２８】
これにより、管理票を紛失したりしても、少なくとも廃棄物の現品が個別識別できる。この個体識別シール上に例えば廃棄物の種類や大きさなどの情報を付与しておくと、廃棄物の現品の単独での（管理票なしでの）個別識別はさらに容易になる。
【００２９】
２．廃棄物を一時保管する集積場（以下、保管手段とよぶ）において、前記１の個体識別シールに廃棄物の管理票の情報を付与する。
【００３０】
これにより以後の段階では、廃棄物の現品上に添付されたシール上に管理票の情報が付与されているので、廃棄物の現品に対応する管理票がどれか、特定することが可能になる。廃棄物の現品上に添付されたシール上に付与する管理票の情報としては、例えば管理票を識別するための固有の管理票番号（以下、管理票番号とよぶ）などであれば、文字情報として容易に転載可能である。この場合、廃棄物の現品上に添付されたシール上に記載された管理票番号を読み取って、同一の管理票番号を有する管理票を探すことで廃棄物の現品と管理票を照合できる。なおここでは逆に、廃棄物の管理票に対して、廃棄物に添付されたシールの情報を付与してもよく、この場合前述の例と同様にして廃棄物の現品と管理票を照合できる。
【００３１】
３．廃棄物の保管手段において、前記廃棄物に添付された個体識別シールに管理票の情報を付与するとともに、管理票に対しても前記シールの情報を付与する。
【００３２】
ここでは、前述と同様に管理票番号とシール番号をそれそれ付与した場合、これにより、前記シールと前記管理票の両方に、シール番号ならびに管理票番号の両方が記載されているので、以降の照合はさらに確実になる。なお以上の１〜３の工夫における、管理票の情報およびシールの情報は、管理票番号に対応する管理票のバーコード情報および、シール番号に対応するシールのバーコード情報であってもよい。この場合廃棄物の現品と管理票を照合する際に、バーコード情報を読み取るバーコードリーダを導入するとよい。なおこのような場合、前記シールが固有の同一バーコードを２つ有し、そのうちの一方をはがすことができてこれを前記管理票に添付し、また同様に、前記管理票が固有の同一バーコードを２つ有し、そのうちの一方をはがすことができ、これを前記シールに添付するようにすれば、文字情報の読み取りや入力のミスをさけて、さらに効率的かつ簡単に照合を行うことができる。
【００３３】
４．上記２〜３におけるシールと管理票の情報の照合において、これらの情報をデータベース手段に格納した上で実施する。
【００３４】
これにより、シールと管理票の情報を一元的に管理することができるようになり、データ通信手段さえあれば、廃棄物の回収から保管，輸送，リサイクル処理のいずれの段階からでも、廃棄物の受入情報を知ることができるようになる。この場合、たとえ管理票を紛失したとしても、廃棄物の回収から保管，輸送，リサイクル処理のいずれの段階においても、廃棄物の現品をもとに、該廃棄物の受入情報を確認することができる。
【００３５】
５．上記２〜４におけるシールと管理票の情報を照合作業を廃棄物の回収から保管，輸送，リサイクル処理に至るすべての受け渡し段階で実施する。
【００３６】
このすべての受け渡し段階での照合結果を比較することによって、リサイクルシステム全体における廃棄物の現品個別追跡管理ができる。
【００３７】
前述の第２番目の問題を解決するための課題として、廃棄物の情報およびリサイクル手段以外のリサイクルシステム全体の情報を物流・輸送を含めて効率的に管理して計画的に運用するために、以下の６．〜７．の工夫を行った。
【００３８】
６．上記１〜５のリサイクルシステムにおいて、リサイクル手段の処理量あるいは／およびストック量の情報と、前記廃棄物品保管における保管情報とに基づいて、前記複数の廃棄物保管手段から前記リサイクル手段に輸送する廃棄物の輸送ルート，輸送車量，輸送品目，廃棄物の品目ごとの量などの輸送計画を決定する廃棄物輸送計画決定手段を設ける。
【００３９】
これによって、廃棄物の情報やリサイクル手段以外のリサイクルシステム全体の廃棄物の保管情報を効率的に把握し、該リサイクルシステムを物流を含めて計画的に運用することが可能になる。
【００４０】
７．上記１〜６のリサイクルシステムにおいて、収集した廃棄物の量と種類に応じて前記リサイクル手段の運転処理計画を立案する運転処理計画立案手段を設ける。
【００４１】
これによって、リサイクル処理を行うリサイクル手段の稼動効率が向上するだけでなく、周囲の環境に対応したプラント運転処理計画の変更などが可能になる。
【００４２】
前述の第３番目の問題を解決するための課題として、廃棄物の個体管理と統合された料金情報管理を行うとともに、リサイクルシステム全体とその中の各段階での両方の料金情報を管理するために、以下の８．〜９．の工夫を行った。
【００４３】
８．上記１〜７のリサイクルシステムにおいて、リサイクルの処理料金の受領済みを表すシールを廃棄物に添付する。
【００４４】
これによって、廃棄物の受領から保管・輸送・リサイクルに至る任意の段階において、廃棄物の現品が処理料金を受領済みであることを目視で容易に確認でき、料金情報と廃棄物の流れの最低限の対応を保つことができる。また前回各段階における受け渡しや処理の開始時に該廃棄物についての処理料金の受領済みを確認できる。
【００４５】
９．上記１〜８のリサイクルシステムにおいて、廃棄物の受領から、保管，輸送，リサイクルに至る各段階での料金情報を管理する料金情報管理手段と、前記シール発行時に排出者から受領した料金情報を管理する料金情報管理手段を設け、かつ該料金情報管理手段が保管する前記処理料金の料金情報を、該廃棄物の保管および輸送，リサイクルにかかわる各料金情報に配分するリサイクル料金配分手段を設ける。
【００４６】
これによって、リサイクルシステムの全体と部分の両方の料金が分かり、かつ廃棄物の個体情報と同様に廃棄物の処理の料金情報を管理できる。
【００４７】
前述の第４番目の問題を解決するための課題として、廃棄物の不法投棄を防止するためのリサイクル処理終了の情報を管理する方法を確立するために、以下の１０．の工夫を行った。
【００４８】
１０．上記１から９のリサイクルシステムにおいて、廃棄物の移動にともなって受け渡しされる管理票の受け渡しの最終点をリサイクル手段での受領時点とせず、該リサイクル手段による廃棄物の処理にともなって発生する少なくとも１つ以上の再利用可能物ならびに処分必要物の少なくとも１つにまで広げる。またリサイクル手段での処理の終了後に処理終了情報を送信する手段を備える。
【００４９】
これによって、廃棄物の処理終了後における再利用可能物の再生手段への引き渡しおよび、処分可能物の処分手段への引き渡しまでを管理できるとともに、不法投棄を防止しやすくなる。
【発明の効果】
【００５０】
本発明は以下の効果を持つ。
【００５１】
本発明は、廃棄物に添付された個体識別シールに管理票番号を転載するとともに、管理票に対しても前記シール番号を転載することによって、廃棄物の受領と管理票の受領の照合を、迅速に省力的かつ間違いなく行うことができる。またこのようにして照合確認した、廃棄物の受領情報と管理票の受領情報をデータベース手段に格納するので、廃棄物の回収から保管，輸送，リサイクル処理のいずれの段階からでも、廃棄物の現品をもとにデータ通信手段を介して廃棄物の受け入れ情報を簡単かつ容易に行うことができる。またさらに、同様の廃棄物と管理票の照合作業を、廃棄物の回収から保管，輸送，リサイクル処理に至るすべての受け渡しの段階で行うことによって、リサイクルシステム全体における受け入れ済みの任意の廃棄物の現在時点での所在を簡単かつ省力的に追跡管理できる。
【００５２】
また本発明では、リサイクル手段の処理量あるいは／およびストック量の情報と、保管手段における保管情報とを照合して演算することによって、前記複数の廃棄物保管手段から前記リサイクル手段に輸送する廃棄物の輸送ルート，輸送車量，輸送品目，廃棄物の品目ごとの量などの輸送計画を最適化計算して算定できる。このため、リサイクルシステムの全体を高効率化し、また輸送効率も向上して低コスト化し、さらに事故や廃棄物の発生量の変動，輸送経路の混雑状況など周囲の環境に対応して輸送計画の変更をするなど、効率的かつ柔軟な運用が実現できる効果がある。また同様に、収集した廃棄物の種類と量の情報や在庫情報を用いて、前記リサイクル手段の運転処理計画を演算して適正化できるので、リサイクル手段の稼動効率を向上したり、また状況に応じて前記リサイクル手段の運転処理計画を変更したりする柔軟な運用を実現する効果をもつ。
【００５３】
さらに本発明では、廃棄物の受領から保管，輸送，リサイクルに至る各段階での料金情報を集約して一括管理し、かつ予め徴収された廃棄物の処理料金の情報を、前記一括管理された料金情報に基づいて、廃棄物の受領から、保管，輸送，リサイクルに至る各段階に配分するので、廃棄物の料金情報管理を行うとともに、リサイクルシステム全体とその中の各段階での両方の料金情報を個体管理と統合して管理できる効果がある。
【００５４】
また本発明では、リサイクル手段での処理の終了後に処理終了情報を送信する手段を備えるとともに、廃棄物の管理票の受け渡し範囲をリサイクル手段での処理によって発生する再利用可能物または処分必要物の少なくとも一方引き渡しにまで広げるので、廃棄物の受け渡しの管理範囲を、処理後の生成物質にまで広げ、不法投棄の発生を抑制する効果がある。
【発明を実施するための最良の形態】
【００５５】
本発明の作用を以下に説明する。
【００５６】
本発明はまず、廃棄物に該廃棄物を個体識別するシールを添付することによって、管理票を紛失したりしても廃棄物の現品が個別識別する。
【００５７】
また、廃棄物に添付された個体識別シールに管理票番号を転載するとともに、管理票に対しても前記シール番号を転載することによって廃棄物の受領と管理票の受領を照合される。同様に、シールと管理票のそれぞれの固有のバーコード情報をそれぞれに同一のものを予め２つずつ付与しておき、その一方を交換することでも同様に照合がなされる。さらにこのようにして、廃棄物の受領と管理票の受領を照合して確認した情報を、データベース手段に格納することによって、廃棄物の回収から保管，輸送，リサイクル処理のいずれの段階からでも、廃棄物の現品をもとにデータ通信手段を介して廃棄物の受入情報が確認可能となっており、また同様に任意の段階からリサイクルシステムへの廃棄物の受入情報を知ることができるようになっている。さらに同様の、シールと管理票の情報や照合作業を、廃棄物の回収から保管，輸送，リサイクル処理に至るすべての受け渡しの段階で行うことによって、リサイクルシステム全体における廃棄物の現品個別追跡管理ができるようになっている。
【００５８】
また本発明では、リサイクル手段の処理量あるいは／およびストック量の情報と、保管手段における保管情報とを照合して演算することによって、前記複数の廃棄物保管手段から前記リサイクル手段に輸送する廃棄物の輸送ルート，輸送車量，輸送品目，廃棄物の品目ごとの量などの輸送計画を算定する。これによって、リサイクルシステム全体の廃棄物の保管情報を活用しながら、リサイクルシステムの物流全般を効率的に計画して運用するようになっている。また、収集した廃棄物の種類と量の情報や在庫情報を用いて、前記リサイクル手段の運転処理計画を演算して適正化することで、リサイクル手段の稼動効率を向上したり、また状況に応じて前記リサイクル手段の運転処理計画を変更したりする。
【００５９】
さらに本発明では、廃棄物の受領から保管，輸送，リサイクルに至る各段階での料金情報を集約して一括管理し、かつ予め徴収された廃棄物の処理料金の情報を、前記一括管理された料金情報に基づいて、廃棄物の受領から、保管，輸送，リサイクルに至る各段階に配分することによって、廃棄物の個体管理と統合された料金情報管理を行うとともに、リサイクルシステム全体とその中の各段階での両方の料金情報を管理する。
【００６０】
また本発明では、リサイクル手段での処理の終了後に処理終了情報を送信する手段を備えるとともに、廃棄物の管理票の受け渡し範囲をリサイクル手段での処理によって発生する再利用可能物または処分必要物の少なくとも一方引き渡しにまで広げることによって、廃棄物の受け渡しの管理範囲を、処理後の生成物質にまで広げ、不法投棄の発生の余地を少なくするようになっている。
【実施例１】
【００６１】
図１に本リサイクルシステムにおける廃家電品およびシール，管理票，廃家電品の管理情報，料金情報の流れを表す一実施例を示す。
【００６２】
本リサイクルシステムの構成は、廃棄物の回収から輸送を経て処理に至る一連の流れにおける、廃家電品の受け渡し状況の管理と、料金情報の管理ならびに配分，在庫管理，輸送計画，運転処理計画を統括管理する「リサイクル情報統括管理手段１００」、および、廃家電品の再商品化料金徴収済を表す「シール１」を発行する「シール発行手段２００」、該シール１を添付された廃家電品を受け取って「廃家電品保管手段４００」に輸送する「廃家電品受領・一次輸送手段３００」、該「廃家電品受領・一次輸送手段３００」での廃家電品受領時に発行され、以降の一連の受け渡しを管理する１つづりの「管理票Ａ，Ｂ，Ｃ，Ｄ，Ｅ」、該「廃家電品受領・一次輸送手段３００」での廃家電品の受け取りを表す「管理票Ａ」を保管する「管理票Ａ保管手段３０１」、該「廃家電品受領・一次輸送手段３００」から輸送された廃家電品を保管する「廃家電品保管手段４００」、該「廃家電品保管手段４００」における廃家電品の受け取りを表す「管理票Ｂ」を保管する「管理票Ｂ保管手段４０１」、該「廃家電品保管手段４００」で一時保管した廃家電品を「リサイクル手段６００」に輸送する「廃家電品二次輸送手段５００」、該「廃家電品二次輸送手段５００」における廃家電品の受け取りを表す「管理票Ｃ」を保管する「管理票Ｃ保管手段４０２」、該「廃家電品二次輸送手段５００」から輸送された廃家電品を受け取って、分解・選別処理する「リサイクル手段６００」、該「リサイクル手段６００」における廃家電品の受け取りを表す「管理票Ｄ」を保管する「管理票Ｄ保管手段４０３」からなる。以下にこれらの各構成要素の基本機能を述べる。
【００６３】
はじめに、「シール発行手段２００」では、廃家電品２を排出しようとする者（以下、排出者９）から廃家電品の再商品化にかかわる処理料金９９を徴収し、処理料金徴収済を表す「シール１」を排出者９に発行する。該シール１の詳細な具体例は後述の図２に示して説明するが、その特徴としては後述するように、シール１に固有の識別番号（以下、シール番号）１００２およびこれに対応するバーコード１００３が付与されており、かつ前記管理票０に固有の識別番号（以下、管理票番号）２００２を記載する欄１００５を有している。また、該「シール発行手段２００」は、前記排出者９から受領した処理料金９９に関する情報を入力・格納・送信する手段を内部に有しており、該入力・格納・送信手段によって前記処理料金９９に関する情報を「リサイクル情報統括管理手段１００」内に備えられた「料金情報管理手段１０１」に伝達する。前記「シール発行手段２００」の具体的な例としてはコンビニエンスストアなどがあるが、以上で述べたような機能を満たすことができるものであればこれに限らない。
【００６４】
次に、廃家電品２の受け渡しの第１段階目になる「廃家電品受領・一次輸送手段３００」では、前記シール１が添付された廃家電品２を前記排出者９から受け取り、後述の管理票Ｂおよび管理票Ｃ，管理票Ｄと一緒に「廃家電品保管手段４００」に輸送する。前記
「廃家電品受領・一次輸送手段３００」の具体的な例としては家電品の量販店や小売店，地方自治体における廃棄物集積保管場や粗大ゴミ処理設備などがあるが、これに限るものではない。
【００６５】
この際に、「廃家電品受領・一次輸送手段３００」では、以降の廃家電品２の一連の受け渡しにおいて廃家電品２の受領を表す管理票０を発行する。
【００６６】
該「管理票０」の詳細な具体例は後述の図３に示して説明するが、その特徴としては後述するように、第１に管理票に固有の識別番号２００２および対応するバーコード2009が付与されており、かつ第２に廃家電品２に添付されたシール１上に付与されたシール番号１００２を記載する欄２００８を有しており、またこの他に第３に品目・大きさ等の情報を記載する欄２００３，排出者９に関する情報を記載する欄２００４などを有している。
【００６７】
また該「管理票０」の発行に際しては、前述のシール番号１００２を記載する欄2008に該シール番号１００２が記載されており、また、同様に、品目・大きさ等の情報を記載する欄２００３および、排出者９に関する情報を記載する欄２００４などに、それぞれ品目・大きさ等の情報および排出者９に関する情報などが記載されていることを確認してから「廃家電品受領・一次輸送手段３００」が該「管理票０」を発行する。一方同時に、前記シール１についても該シール１が有している前記管理票番号２００２を記載する欄1005に該管理票番号２００２が記載されていることを確認しておく。これらの作業は、前記管理票０に付与された管理票番号情報２００２および前記シール１に記載されたシール番号情報１００２を交換する作業であり、この交換作業を行う方法としては他に、あらかじめ
「シール１」と「管理票０」のそれぞれに同一のバーコードを２つずつ付与しておき、かつバーコード情報のそれぞれ一方をシールで外せるようにしておき、これを外して「シール１」と「管理票０」の間で交換して添付してもよい。
【００６８】
さらに該管理票０は、廃家電品２の回収から処理に至る一連の流れにおける廃家電品２受け渡しの各段階ごとに廃家電品２の受領を表す控えとして順次はずして保管できる１つづりの帳票になっており、ここではこれらを図に示すようにそれぞれを管理票Ａ，管理票Ｂ，管理票Ｃ，管理票Ｄ，管理票Ｅと呼ぶ。このうち管理票Ｂおよび管理票Ｃ，管理票Ｄは、控えを２部とれるようになっており、それぞれをＢ１票ならびにＢ２票，Ｃ１票ならびにＣ２票，Ｄ１票ならびにＤ２票と呼ぶ。「廃家電品受領・一次輸送手段３００」では、前記管理票０のつづりのうち、管理票Ｅを排出者９に対して発行し、また該「廃家電品受領・一次輸送手段３００」での廃家電品の受け取りを表す「管理票Ａ」を該管理票を保管する「管理票Ａ保管手段３０１」に保管し、残りのつづりである管理票Ｂおよび管理票Ｃ，管理票Ｄを前記廃家電品２と一緒に「廃家電品保管手段４００」に輸送する。これらの管理票０の各つづり移動の詳細に関しては後述の図４に示して説明する。
【００６９】
また、以上の廃家電品２および管理票０の受領および輸送に関する情報は、「廃家電品受領・一次輸送手段３００」内に備えられた送信手段によって送信され、通信手段による通信を経て「受領・一次輸送情報管理手段３１０」に伝達され、該「受領・一次輸送情報管理手段３１０」内に備えられた受領・一次輸送情報格納手段に格納される。ここでの前記送信手段および通信手段としては、例えばモデムおよび電話回線、あるいはネットワークアダプタおよびイーサネット（登録商標）ケーブルなど公知のものでよい。同じように受領・一次輸送情報格納手段についても、例えばハードディスク装置など公知の手段でよい。前記の「受領・一次輸送情報管理手段３１０」内に備えられた受領・一次輸送情報格納手段に格納された情報は、さらにリサイクル情報統括管理手段１００内における廃家電品現品追跡管理手段１０３内に伝達され、該廃家電品現品追跡管理手段１０３内の情報格納手段に格納される。
【００７０】
同様に、以上の廃家電品２の受領・一次輸送、および管理票０の発行に関わる料金情報は、「廃家電品受領・一次輸送手段３００」内に備えられた送信手段によって送信され、通信手段による通信を経て「受領・一次輸送料金情報管理手段３３０」に伝達され、該
「受領・一次輸送料金情報管理手段３３０」内に備えられた受領・一次輸送料金情報格納手段に格納される。ここでの前記送信手段および通信手段，受領・一次輸送料金情報格納手段についても、上記と同様の公知の手段でよい。前記の「受領・一次輸送料金情報管理手段３３０」内に備えられた受領・一次輸送料金情報格納手段に格納された情報は、さらにリサイクル情報統括管理手段１００内における料金情報管理手段１０１内に伝達され、該料金情報管理手段１０１内の料金情報格納手段に格納される。
【００７１】
つづいて、廃家電品２の受け渡しの第２段階目になる「廃家電品保管手段４００」では、まず前記シール１が添付された前記廃家電品２を、管理票Ｂおよび管理票Ｃ，管理票Ｄと一緒に受け取る。受け取った前記廃家電品２については、後述の図７で詳細を説明するように該廃家電品保管手段４００内に設けられた保管ヤード４９９にて保管した後、出庫指示情報を受けて出庫して「廃家電品二次輸送手段５００」に引き渡す。また受け取った前記管理票Ｂおよび管理票Ｃ，管理票Ｄについては、前述のように２枚一組となった管理票ＢのＢ１票およびＢ２票のうちＢ１票を廃家電品２の受領を表す控えとして管理票Ｂ１保管手段４０１に保管し、もう一方のＢ２票を前記の廃家電品受領・一次輸送手段３００に返送し、残りの管理票Ｃおよび管理票Ｄを前記廃家電品２と一緒に前記「廃家電品二次輸送手段５００」に引き渡す。前記「廃家電品保管手段４００」の具体的な例としては一般の廃棄物集積保管場や家電品の量販店，地方自治体における廃棄物集積保管場や粗大ゴミ処理設備などが考えられるが、これに限るものではない。
【００７２】
「廃家電品保管手段４００」における、廃家電品２の入庫および出庫に関する情報は、該「廃家電品保管手段４００」内に備えられた送信手段によって送信され、通信手段による通信を経て「在庫管理手段４２０」に伝達され、該「在庫管理手段４２０」内に備えられた在庫情報格納手段に格納される。ここでの前記送信手段および通信手段としては、例えばモデムおよび電話回線、あるいはネットワークアダプタおよびイーサネット（登録商標）ケーブルなど公知のものでよく、同じように在庫情報格納手段についても例えばハードディスク装置など公知の手段でよい。前記在庫管理手段４２０における在庫管理の詳細は後述の図７に示して説明するが、該在庫管理手段４２０では廃家電品保管手段４００への廃家電品２の入庫情報と出庫情報とに基づいて、前記廃家電品保管手段４００内に設けられた保管ヤード４９９における廃家電品の在庫を管理するとともに、前記在庫情報格納手段に格納された在庫情報を該在庫管理手段４２０内に設けられた送信手段によって送信し、通信手段による通信を経て「輸送計画決定手段５２０」に伝達する。
【００７３】
また、「廃家電品保管手段４００」における、廃家電品２および管理票０の受領から出庫・引き渡しに関する情報は、該「廃家電品保管手段４００」内に備えられた送信手段によって送信され、通信手段による通信を経て「保管情報管理手段４１０」に伝達され、該「保管情報管理手段４１０」内に備えられた保管情報格納手段に格納される。ここでの前記送信手段および通信手段としては、上記と同様に例えばモデムおよび電話回線、あるいはネットワークアダプタおよびイーサネット（登録商標）ケーブルなど公知のものでよく、同じように保管情報格納手段についても例えばハードディスク装置など公知の手段でよいことはいうまでもない。前記の「保管情報管理手段４１０」内に備えられた保管情報格納手段に格納された情報は、さらにリサイクル情報統括管理手段１００内における廃家電品現品追跡管理手段１０３内に伝達され、該廃家電品現品追跡管理手段１０３内の情報格納手段に格納される。
【００７４】
廃家電品保管手段４００ではこの他に、詳細を後述の図５に示して説明するように、バーコードリーダ４１０１および文字情報入力手段４１０２，バーコードリーダ４１０３によって、廃家電品２に添付されたシールのバーコード情報４１１１および管理票１に記載された廃家電品情報４１１３、管理票１に付与された管理票のバーコード情報４１１５などを読み取り入力して、前記「保管情報管理手段４１０」内に設けられた記憶データ格納手段４１２１〜４１２５に格納する。前記記憶データ格納手段４１２１〜４１２５に格納された前記シールのバーコード情報などの情報４１１１〜４１１５は、送信手段４１３１〜４１３５によってそれぞれ送信され、通信手段４１０４を経て照合データベース手段
４１００に伝達される。該照合データベース手段４１００では、前記通信手段４１０４によって伝達された前記シールのバーコード情報などの情報４１１１〜４１１５に基づいて、廃家電品２の現品と管理票０を照合する。
【００７５】
同様に、「廃家電品保管手段４００」における、廃家電品２および管理票０の受領から出庫・引き渡しに関わる料金情報は、該「廃家電品保管手段４００」内に備えられた送信手段によって送信され、通信手段による通信を経て「保管料金情報管理手段４３０」に伝達され、該「保管料金情報管理手段４３０」内に備えられた保管料金情報格納手段に格納される。ここでの前記送信手段および通信手段、保管料金情報格納手段についても、上記と同様の公知の手段でよい。前記の「保管料金情報管理手段４３０」内に備えられた保管料金情報格納手段に格納された情報は、さらにリサイクル情報統括管理手段１００内における料金情報管理手段１０１内に伝達され、該料金情報管理手段１０１内の料金情報格納手段に格納される。
【００７６】
つづいて、廃家電品２の受け渡しの第３段階目になる「廃家電品二次輸送手段５００」では、まず前記シール１が添付された前記廃家電品２を管理票Ｃおよび管理票Ｄと一緒に受け取る。受け取った前記廃家電品２については一時保管したのち「リサイクル手段600」に引き渡す。また受け取った前記管理票Ｃおよび管理票Ｄについては、前述のように２枚一組になった前記管理票ＣのＣ１票ならびにＣ２票のうちのＣ１票を廃家電品２の受領を表す控えとして管理票Ｃ１保管手段４０２に保管して、もう一方のＣ２票を前記廃家電品受領・一次輸送手段３００に送り返し、残りの管理票Ｄを前記廃家電品２と一緒に前記「リサイクル手段６００」に引き渡す。前記「廃家電品二次輸送手段５００」の具体的な例としてはトラックや廃棄物収集パッカー車，鉄道コンテナなどが考えられるが、廃家電品を輸送できる手段であればよく、これらに限るものではない。
【００７７】
「廃家電品二次輸送手段５００」における、廃家電品２および管理票０の受け取りおよび引き渡しに関する情報は、該「廃家電品二次輸送手段５００」内に備えられた送信手段によって送信され、通信手段による通信を経て「輸送情報管理手段５１０」に伝達され、該「輸送情報管理手段５１０」内に備えられた輸送情報格納手段に格納される。前記の
「輸送情報管理手段５１０」内に備えられた保管情報格納手段に格納された情報は、さらにリサイクル情報統括管理手段１００内における廃家電品現品追跡管理手段１０３内に伝達され、該廃家電品現品追跡管理手段１０３内の情報格納手段に格納される。
【００７８】
同様に、「廃家電品二次輸送手段５００」における、廃家電品２および管理票の受け取りから引き渡しに関わる料金情報は、該「廃家電品二次輸送手段５００」内に備えられた送信手段によって送信され、通信手段による通信を経て「輸送料金情報管理手段５３０」に伝達され、該「輸送料金情報管理手段５３０」内に備えられた輸送料金情報格納手段に格納される。前記の「保管料金情報管理手段４３０」内に備えられた保管料金情報格納手段に格納された情報は、さらにリサイクル情報統括管理手段１００内における料金情報管理手段１０１内に伝達され、料金情報管理手段１０１内の情報格納手段に格納される。前記の「輸送料金情報管理手段５３０」内に備えられた輸送料金情報格納手段に格納された情報は、さらにリサイクル情報統括管理手段１００内における料金情報管理手段１０１内に伝達され、該料金情報管理手段１０１内の料金情報格納手段に格納される。
【００７９】
また「廃家電品二次輸送手段５００」が行う、廃家電品２の受け取りおよび輸送、「リサイクル手段６００」への引き渡しについては、「輸送計画決定手段５２０」による輸送指示情報に従って実行される。ここでの輸送指示情報とは、廃家電品２の受け取りの場所および輸送先の場所，廃家電品２の品目・大きさ・量であるが、この他に廃家電品２の受け取り時刻や引き渡し時刻などを含めてもよい。また前記「輸送計画決定手段５２０」による輸送計画の決定の方法は後述の図７によって説明するようにして行うが、ここでは前述の在庫管理手段から伝達された在庫情報および、リサイクル手段６００内に設けられた荷受け手段６０１に在庫情報に基づいて、輸送車両および輸送経路，輸送スケジュールなどの輸送計画を決定する。
【００８０】
つづいて、廃家電品２の受け渡しの第４段階目になる「リサイクル手段６００」では、まず前記シール１が添付された前記廃家電品２を管理票Ｄと一緒に、前記廃家電品二次輸送手段５００から受け取る。受け取った前記廃家電品２については、分解・選別などのリサイクル処理によって、再利用可能な部品または材料と、処分が必要な残渣とに分類あるいは変換し、それぞれを「材料・部品再生手段６０１」および「残渣処分手段６０２」に引き渡す。また受け取った前記管理票Ｄについては、前述のように２枚一組のＤ１票ならびにＤ２票からなっており、このうちのＤ１票を廃家電品２の受領を表す控えとして管理票Ｄ１保管手段４０３に保管して、もう一方のＤ２票を前記廃家電品受領・一次輸送手段３００に送り返す。前記「リサイクル手段６００」としては前述のように受け取った廃家電品２を分解・選別などのリサイクル処理によって、再利用可能な部品または材料と、処分が必要な残渣とに分類あるいは変換して回収する機能を有するものであればよく、簡単な例としては廃家電品２を破砕機で破砕してから磁力選別機によって磁力選別して鉄を回収し、残りの成分を渦電流選別機によって渦電流選別して非鉄金属とプラスチック類とに選別回収する破砕選別プラントなどを挙げることができる。
【００８１】
「リサイクル手段６００」における、廃家電品２および管理票０の受け取りから、処理によって発生する再利用可能な部品および材料の再生手段６０１への引き渡しおよび、処理によって発生する残渣の残渣処分手段６０２への引き渡しに関わる情報は、該「リサイクル手段６００」内に備えられた送信手段によって送信され、通信手段による通信を経て「処理情報管理手段６１０」に伝達され、該「処理情報管理手段６１０」内に備えられた処理情報格納手段に格納される。同様に、該「リサイクル手段６００」における処理の終了を表す処理終了情報も、後述の図７に示すように、該「処理情報管理手段６１０」内に備えられた処理終了情報入力手段６０２によって入力されたのちに、該「リサイクル手段６００」内に備えられた送信手段によって送信され、通信手段による通信を経て「処理情報管理手段６１０」に伝達され、該「処理情報管理手段６１０」内に備えられた処理情報格納手段に格納される。前記の「処理情報管理手段６１０」内に備えられた処理情報格納手段に格納された情報は、さらにリサイクル情報統括管理手段１００内における廃家電品現品追跡管理手段１０３内に伝達され、該廃家電品現品追跡管理手段１０３内の情報格納手段に格納される。
【００８２】
「リサイクル手段６００」における、廃家電品２および管理票０の受け取りから、処理によって発生する再利用可能な部品および材料の再生手段６０１への引き渡しおよび、処理によって発生する残渣の残渣処分手段６０２への引き渡しに関わる料金情報は、該「リサイクル手段６００」内に備えられた送信手段によって送信され、通信手段による通信を経て「リサイクル料金情報管理手段６３０」に伝達され、該「リサイクル料金情報管理手段６３０」内に備えられたリサイクル料金情報格納手段に格納される。前記の「リサイクル料金情報管理手段６３０」内に備えられたリサイクル料金情報格納手段に格納された情報は、さらにリサイクル情報統括管理手段１００内における料金情報管理手段１０１内に伝達され、該料金情報管理手段１０１内の料金情報格納手段に格納される。
【００８３】
また、運転処理計画立案６２０では、前記輸送情報決定手段５２０で決定された輸送計画の情報と、前記リサイクル手段６００内の荷受場所６９９における在庫管理情報および入庫情報とに基づいて、リサイクル手段６００の運転処理計画を立案する。これらの情報の流れについては、後述の図７において説明する。
【００８４】
なおここまでのリサイクルシステム全体における廃家電品２に受け渡しを表す管理票の移動については、排出者９ならびに廃家電品受領・一次輸送手段３００からリサイクル手段６００に至る一連の各段階で順次控えを保管できるようなつづりとして、一連のＡ票〜Ｅ票までを廃家電品受領・一次輸送手段３００にて発行する場合を例に説明した。しかしこの他に、リサイクル手段６００による処理で発生する再利用可能な部品又は材料と、処分が必要な残渣のそれぞれについても、「材料・部品再生手段６０１」における再利用可能な部品または材料の受領を表すＦ票および、「残渣処分手段６０２」における処分が必要な残渣の受領を表すＧ票を、前記の廃家電品受領・一次輸送手段３００にて発行される管理票０のつづりの中に含めておくか、または前記リサイクル手段６００にて発行するかして、前述と同様の手順でそれぞれの受領を表す控えのＦ１票およびＧ１票を「材料・部品再生手段６０１」および「残渣処分手段６０２」内における各控え票の保管場所に保管し、残りのＦ２票およびＧ２票を前記の廃家電品受領・一次輸送手段３００またはリサイクル手段６００に返送してもよい。
【００８５】
本実施例における料金情報の収受と配分の処理を以下説明する。
【００８６】
本リサイクルシステムにおいては、前述のように、廃家電品２の処理料金９９が廃家電品２の処理を行う前に、予めシール発行手段２００において排出者９から徴収されており、この徴収した料金の情報は、シール発行手段２００からリサイクル情報統括管理手段
１００の内部に設けられた料金情報管理手段１０１に伝達され、該料金情報管理手段101内の料金情報格納手段に格納されている。
【００８７】
一方で、廃家電品の回収から輸送を経て処理・処分に至る一連の受け渡しと処理に要する料金情報については、前述のように、受領・一次輸送料金情報管理手段３３０からは廃家電品２の受領・一次輸送および管理票０の発行に関わる料金の情報が、保管料金情報管理手段４３０からは廃家電品２の受領・保管・出庫・引き渡しおよび管理票０の受領・保管・発送に関わる料金の情報が、輸送料金情報管理手段５３０からは廃家電品２の二次輸送および管理票０の受領・保管・発送に関わる料金の情報が、リサイクル料金情報管理手段６３０からは廃家電品２の受け取り・処理・再利用可能部品等の同再生手段６０１への引き渡し・残渣の残渣処分手段６０２への引き渡しおよび管理票０の受領・保管・発送に関わる料金の情報が、それぞれ、リサイクル情報統括管理手段１００の内部に設けられた料金情報管理手段１０１に伝達され、該料金情報管理手段１０１内の料金情報格納手段に格納される。
【００８８】
「料金情報配分手段１０２」は、前記該料金情報管理手段１０１内の料金情報格納手段に格納された、前記排出者９から徴収した料金の情報９９を、該料金情報配分手段１０２の内部に設けられた料金情報処理手段によって配分し、「受領・一次輸送料金情報管理手段３３０」，「保管料金情報管理手段４３０」，「輸送料金情報管理手段５３０」，「リサイクル料金情報管理手段６３０」のそれぞれに送信する。前記「受領・一次輸送料金情報管理手段３３０」および「保管料金情報管理手段４３０」，「輸送料金情報管理手段
５３０」，「リサイクル料金情報管理手段６３０」においては、それぞれの内部に設けられた受信手段および料金情報格納手段によって、前記料金情報配分手段１０２から送信された料金情報を受信して格納する。前記料金情報処理手段における処理料金情報の配分方法の一例としては、例えば、前記排出者９から徴収された処理料金情報の値を、前記「受領・一次輸送料金情報管理手段３３０」および「保管料金情報管理手段４３０」，「輸送料金情報管理手段５３０」，「リサイクル料金情報管理手段６３０」から伝達され格納されたそれぞれの料金情報の値に応じて比例配分するなどすればよい。
【００８９】
本実施例における廃家電品の現品追跡管理について以下に述べる。
【００９０】
本リサイクルシステムにおいては、廃家電品の回収から輸送を経て処理・処分に至る一連の受け渡しと処理に関する情報が、前述のように、前記受領・一次輸送情報管理手段
３１０および、前記保管情報管理手段４１０，前記輸送情報管理手段５１０，前記処理情報管理手段６１０から、それぞれリサイクル情報統括管理手段１００の内部に設けられた廃家電品現品追跡管理手段１０３に伝達され、該廃家電品現品追跡管理手段１０３内の管理情報格納手段に格納される。
【００９１】
このように、廃家電品の回収から輸送を経て処理・処分に至る一連の受け渡しと処理に関する情報が、「リサイクル情報統括管理手段１００」内における「廃家電品現品追跡管理手段１０３」に転送されて一元的に管理できることにより、本リサイクルシステムでは、受領された廃家電品の任意の個体について、リサイクルシステム内の一連の受け渡しにおけるどの段階にあるか常時追跡することができる。その詳細は後述の実施例６において説明する。
【００９２】
なお以上の説明では前記シール発行手段２００と前記廃家電品受領・一次輸送手段300の、それぞれの機能を説明するために、前記シール発行手段２００と前記廃家電品受領・一次輸送手段３００は別の敷地内にあるものとして説明したが、実際の本システムの運用においては、前記シール発行手段２００と前記廃家電品受領・一次輸送手段３００は同じ敷地を兼用してもよく、また別の敷地内にある場合でも、例えばシール発行手段２００は、前記排出者９から処理料金９９を徴収する際に、シール１の代わりに、前記処理料金
９９の徴収済みを表す領収書や金券を前記排出者９に発行し、前記廃家電品受領・一次輸送手段３００では、前記排出者９が前記シール発行手段より受け取っている前記の領収書や金券と引き換えに前記シール１を前記排出者に発行するなど、一方の機能を他方が兼用してもよい。同様に、廃家電品受領・一次輸送手段３００と廃家電品保管手段４００の間の関係についても、敷地や機能を兼用してもよい。
【実施例２】
【００９３】
図２は本発明による廃家電品の処理料金の受領を表すシール１の一実施例である。本シールは廃家電品２に添付するものであって、シール上には、廃家電品２の回収から処理に至る一連の流れにおける最終的な送り先であるリサイクル手段６００を表す情報１００１（ここではリサイクル手段６００を所有する会社の名称をＡ社として表した）および、廃家電品２を個体識別するシール番号１００２，廃家電品２の品目（冷蔵庫，洗濯機，テレビ，エアコンなど）と大きさの情報を目視確認できる品目・大きさ情報１００４，上記シール番号１００２に対応し、さらに上記品目・大きさ情報１００４が付与されたバーコード１００３，家電品２に添付される管理票０の識別番号（後述２００２）を記載する欄
１００５，上記管理票の識別番号に対応するバーコード１００６、が付与されている。なお、本シール１は廃家電品２の品目が例えば冷蔵庫か洗濯機，テレビ，エアコンのどれかを簡単に識別できるように色分けされていてもよい。また図に示すように、シールの発行元を表す情報１００６を付与してもよい。
【実施例３】
【００９４】
図３は本発明による廃家電品の受け渡しを管理する管理票０の一実施例である。本管理票０は、以下に示す情報を付与される１つづりの帳票Ａ票，Ｂ票，Ｃ票，Ｄ票からなっており、廃家電品２の回収から処理に至る一連の流れにおける廃家電品２受け渡しの各段階ごとに廃家電品２の受領を表す控えとして順次はずして保管できる。該管理票０上には、管理票０の固有の識別番号（以下、管理票番号）２００２および対応するバーコード2009が付与されており、また廃家電品２を個体識別するシール番号１００２を記載する欄2008および、廃家電品２についての、品目・大きさ等の情報を記載する欄２００３，排出者９に関する情報を記載する欄２００４，受領・一次輸送手段３００に関する情報及び受領・一次輸送手段３００における管理情報を記載する欄２００５，二次輸送手段５００に関する情報および二次輸送手段５００における引き受け・終了情報を記載する欄２００６，リサイクル手段６００に関する情報およびリサイクル手段６００における引き受け・終了情報を記載する欄２００７、が設けられている。さらに本管理票０には、管理票の発行を管理する交付番号を記載する欄２０１０を儲けている。また本管理票０は、廃家電品２の受け渡しの各段階での受領の控えとするＡ票，Ｂ票，Ｃ票，Ｄ票それぞれに、その保管者を表す情報２０１１を付与している。
【００９５】
ここで上記、品目・大きさ等の情報としては例えば、製造メーカー名，品目名（冷蔵庫，洗濯機，テレビ，エアコンなど）、大きさの区分、などがあるがこれに限るものではない。同様に上記、排出者９に関する情報としては例えば、氏名，住所，郵便番号，電話番号、および認め印などがあるが、これに限るものではない。同様に上記、受領・一次輸送手段３００に関する情報としては例えば、廃家電品を受領した引取り店の所在地，代表者名，郵便番号，電話番号，担当者氏名などがあるが、これに限るものではない。同様に上記、受領・一次輸送手段３００における管理情報としては例えば、本管理票０の発行者氏名ならびに認め印，廃家電品２の受領時に処理料金の徴収済みを表すシール１が添付されていることの確認結果の情報（シールの有無），受領・一次輸送手段３００から保管手段４００への廃家電品２の一次輸送の終了報告の受領年月日，保管手段４００における廃家電品２の受け取り報告の受領年月日、などがあるが、この他に、二次輸送手段５００における廃家電品２の受領および配送終了のそれぞれの報告の受領年月日，リサイクル手段
６００における廃家電品２の受領およびリサイクル処理終了のそれぞれの報告の受領年月日などを含めてもよい。同様に上記、二次輸送手段５００に関する情報としては例えば、二次輸送を行う運搬業者の会社名，代表者名，所在地，郵便番号，電話番号，運搬担当者氏名などがあるが、これに限るものではない。同様に上記、二次輸送手段５００における引き受け・終了情報としては例えば、二次輸送を行う運搬業者による廃家電品２の引き受けを表す引き受け印，二次輸送の終了を表す終了印などがあるが、これに限るものではない。なおここでは二次輸送手段５００に関する情報を説明したが、本管理票０においてさらに、受領・一次輸送手段３００における一次輸送手段についての同様の情報を記載する欄を設けてもよいことは言うまでもない。同様に上記、リサイクル手段６００に関する情報としては例えば、該リサイクル手段６００を運転してリサイクル処理を行う廃棄物中間処理業者の会社名，代表者名，所在地，郵便番号，電話番号，廃家電品受付担当者名などがあるが、これに限るものではない。同様に上記、リサイクル手段６００における引き受け・終了情報としては例えば、リサイクル手段６００における廃家電品２の引き受けを表す引き受け印，リサイクル処理の終了を表す終了印などがあるが、これに限るものではない。
【００９６】
なお本実施例での管理票０説明では、上記の各種情報を明示的に記載した帳票として説明したが、同様の内容の情報を付与したものであれば、例えば読み取り端末で読み取って復元するような磁気情報や電子情報として付与した管理カード３であってもよい。この場合、廃家電品の受け渡しの各段階において、カードに付与された情報を読み取り端末で読み取ってゆくことで上記と同様の管理ができる。あるいは逆に廃家電品の受け渡しの各段階において読み取り・書き込み端末によって廃家電品２の受領の情報を管理カードに書き込んでゆき、後続の各受け渡し段階においては読み取り・書き込み端末によってこれを読みとりさらに受領の情報を書き込んで運用してもよい。
【実施例４】
【００９７】
廃家電品の受け渡しにともなう管理票の各つづりの流れを図４に示す。排出者９は廃家電品を廃家電品受領・一次輸送手段３００に渡したときに、受領した証拠として、複数のシートからなる管理票の内、Ｂ票を受け取る。廃家電品受領・一次輸送手段３００では、該管理票の内、Ａ票は保存し、Ｃ１，Ｃ２，Ｄ１及びＤ２票を廃家電品二次輸送手段500へ渡す。廃家電品二次輸送手段５００は前記廃家電品受領・一次輸送手段３００から廃家電品を受け取った証拠として管理票の内Ｃ２票は前記廃家電品受領・一次輸送手段３００に渡し、Ｃ１票を保存し、Ｄ１及びＤ２票をリサイクル手段６００へ渡す。該リサイクル手段６００では、前記廃家電品二次輸送手段５００より受け取った管理票Ｄ１，Ｄ２の内、Ｄ２票は廃家電品を該リサイクル手段６００で受け取った証拠として、前記廃家電品受領・一次輸送手段３００へ渡し、残ったＤ１票は保存する。該廃家電品受領・一次輸送手段３００では、前記リサイクル手段６００から受け取った管理票Ｄ２と保存していた管理票Ａを比較することで、排出者９より受け取った廃家電品が適正に処理されたことを確認することができ、前記排出者９よりの問い合わせに対応することができる。
【実施例５】
【００９８】
本発明のリサイクルシステムにおいて、廃家電品を個体識別と処理料金の受領済みを表すシール番号１００２と、廃家電品２の受け渡しにおける受け取りを表す管理票０の管理票番号２００２とを照合する照合システムの一例を図５に示す。
【００９９】
本システムは、廃家電品保管手段４００に備えられており、廃家電品２に添付されたシール１のバーコード情報４１１１を読み取るバーコードリーダ４１０１および、廃家電品保管手段４００に備えられており、廃家電品２の受領時に受け取った管理票０に記載された文字情報（管理票番号情報４１１２及び廃家電品番号情報４１１３）ならびに廃家電品に添付されたシール１上に記載されたシール番号の文字情報４１１４とを入力する文字情報入力手段４１０２，廃家電品保管手段４００に備えられており、廃家電品２の受領時に受け取った管理票０に付与されたバーコード情報４１１５を読み取るバーコードリーダ
４１０３，廃家電品保管手段４００の保管情報管理手段４１０内にあって、上記バーコードリーダ４１０１およびバーコードリーダ４１０３で読み取った情報と文字情報入力手段４１０２で入力された情報のそれぞれを格納する記憶データ格納手段４１２１〜４１２５，前記記憶データ格納手段４１２１〜４１２５に格納された各情報を送信する送信手段
４１３１〜４１３５，前記送信手段４１３１〜４１３５によって送信された各情報を照合データベース手段に伝達する通信手段４１０４，前記通信手段４１０４によって伝達された情報に基づいて、廃家電品２に添付されたシール１のシール番号１００２（図２記載）と廃家電品２の受け取りを表す管理票０の管理票番号２００２（図３記載）とする照合データベース手段４１００からなる。
【０１００】
本システムにおける廃家電品２のシール番号１００２と管理票番号２００２の照合手順は以下の通りである。
【０１０１】
はじめに、廃家電品保管手段４００に備えられたバーコードリーダ４１０１で、廃家電品２に添付されたシール１上のバーコード情報を読み取る。読み取られたシールのバーコード情報４１１１は、前述のようにシール番号１００２の情報および廃家電品の品目と大きさの情報１００４を含んでいる。該シールのバーコード情報４１１１はまず保管情報管理手段４１０における記憶データ格納手段４１２１に格納され、つづいて送信手段4131によって送信され、通信手段４１０４による伝達をへて、照合データベース手段４１００内に設けられたシールのバーコード情報データベース手段Ａ４１４１に格納される。以上に記載した、シールのバーコード情報４１１１の流れは図中に記号ａとして示した通りである。
【０１０２】
同時に、廃家電品保管手段４００に備えられた文字情報入力手段４１０２では、廃家電品２に添付されたシール１上に記載されている管理票０の管理票番号２００２を入力する。該文字情報入力手段４１０２の具体例としてはキーボード，タッチパネルなどの文字情報を入力できるものであればよい。または、文字情報を画像処理して、文字や記号に変換して入力することも可能である。前記文字情報入力手段４１０２によって入力された管理票番号情報４１１２は、まず保管情報管理手段４１０における記憶データ格納手段4122に格納され、つづいて送信手段４１３２によって送信され、通信手段４１０４による伝達をへて、照合データベース手段４１００内に設けられた管理票のバーコード情報データベース手段Ａ４１４２に格納される。以上の、管理票の番号情報４１１２の流れは図中に記号ｂとして示した通りである。
【０１０３】
同様に、廃家電品保管手段４００に備えられた文字情報入力手段４１０２では、廃家電品２の受領時に受け取った管理票０に記載された廃家電品に関する文字情報を入力する。ここで廃家電品に関する文字情報とは、例えば前述の図３において説明した廃家電品の品目・大きさ等の情報を記載する欄２００３および排出者９の氏名・住所・電話番号等の情報を記載する欄２００４に記載された情報のことであるが、この他にも図３で説明した他の情報の記入欄２００５，２００６，２００７に記載された情報をこれに含めてもよい。このように、管理票０上の廃家電品の品目・大きさ等の情報を記載する欄２００３に記載された情報を入力することで、廃家電品のはじめの受け入れ時点である廃家電品受領・一次輸送手段３００における受領時の廃家電品の情報を確実に確認できることになる。文字情報入力手段４１０２によって入力された廃家電品情報４１１３は、まず保管情報管理手段４１０における記憶データ格納手段４１２３に格納され、つづいて送信手段４１３３によって送信され、通信手段４１０４による伝達をへて、照合データベース手段４１００内に設けられた廃家電品情報データベース手段４１４３に格納される。以上の廃家電品情報４１１３の流れは図中に記号ｄとして示した通りである。
【０１０４】
同様に、廃家電品保管手段４００に備えられた文字情報入力手段４１０２では、廃家電品２の受領時に受け取った管理票０に記載されたシール番号情報４１１４を入力する。ここで管理票０に記載されたシール番号情報４１１４とは、図３において説明した欄2002に記載された情報のことである。文字情報入力手段４１０２の具体例としてはキーボード，タッチパネルなどの文字情報を入力できるものであればよい。文字情報入力手段４１０２によって入力された廃家電品のシール番号情報４１１４は、送信手段４１０４によって、照合データベース手段４１００内に設けられたシール番号情報変換手段４１０６によって、管理票バーコード情報４１１５に変換されてシールのバーコードデータベース手段
Ｂ４１４４に格納される。以上の管理票０に記載されたシール番号情報４１１４の流れは図中に記号ｃ，ｃ′として示した通りである。
【０１０５】
なおここでシール番号情報変換手段４１０６は、予めシール１のシール番号１００２に対して対応するバーコード１００３を生成させたときのアルゴリズムを用いてシール番号情報をシールのバーコード情報に変換するものである。
【０１０６】
また同時に、廃家電品保管手段４００に備えられたバーコードリーダ４１０３で、廃家電品２の受領時に受け取った管理票０に付与されたバーコード情報２００９を読み取る。読み取られた管理票のバーコード情報２００９は管理票番号の情報２００２を含んでいる。該管理票のバーコード情報４１１５はまず保管情報管理手段４１０における記憶データ格納手段４１２５に格納され、つづいて送信手段４１３１によって送信され、通信手段
４１０４による伝達をへて、照合データベース手段４１００内に設けられた管理票のバーコード情報データベース手段Ｂ４１４５に格納される。以上に記載した、管理票のバーコード情報２００９の流れは図中に記号ｅとして示した通りである。
【０１０７】
さらに、照合データベース４１００では、前記シールのバーコード情報データベース手段Ａ４１４１，前記管理票のバーコード情報データベースＡ４１４２並びに前記廃家電品情報データベース４１４３からの情報を元に現品情報統合データベース手段４１５１において、図５中の下半分に示した現品受入情報表４１６１のような廃家電品の製造メーカ，品名，大きさ，シール番号，管理票番号及び排出者などの情報を整理する。一方、該照合データベース４１００では、前記管理票のバーコード情報データベースＡ４１４２，シールのバーコードデータベースＢ４１４４並びに管理票のバーコードデータベースＢ4145とからの情報を元に管理票情報統合データベース４１５２において、図５中の下半分に示した管理票受入情報表４１６２のような廃家電品の製造メーカ，品名，大きさ，シール番号，管理票番号及び排出者などの情報を整理する。該管理票受入情報表４１６２の各項目と、前記現品受入情報表４１６１の対応する項目とを比較することにより、シール１の情報と管理票０の情報を照合することができる。ここで、照合する項目は管理票０に記載されている全ての項目で実施することも可能であるし、その一部分の情報のみを用いて実施することも可能であり、必ずしも全てを用いる必要がないことはいうまでもない。また以上では照合に用いる情報の読み取りと入力は、廃家電品保管手段４００において行うものとして説明したが、この他に、廃家電品二次輸送手段５００，リサイクル手段６００など、廃家電品受領後のリサイクル処理に至る任意の段階で行ってもよいことはいうまでもない。
【実施例６】
【０１０８】
本発明のリサイクルシステムにおける、廃家電品２の回収から処理に至る廃家電品２の受け渡し状況の廃家電品現品追跡管理手段１０３における、廃家電品現品追跡管理方法の一例を図６を用いて説明する。図６に示す表はリサイクル情報統括管理手段１００内に備えられた追跡管理手段１０３の内部に設けられた管理情報格納手段に格納された情報の一例を示すものである。
【０１０９】
同表の左側にある受入情報と４１６３は、前述の実施例５で示したように、廃家電品保管手段４００においてバーコードリーダ４１０１およびバーコードリーダ４１０３，文字情報入力手段４１０２によって読み取り・入力した、廃家電品２に添付されたシールのバーコード情報４１１１および管理票１に記載された廃家電品情報４１１３，管理票１に付与された管理票のバーコード情報４１１５などをもとに、照合データベース手段４１００の内部の現品情報統合データベース手段４１５１に構築された現品受入情報４１６１と、照合データベース手段４１００の内部の管理票情報統合データベース手段４１５２に構築された現品受入情報４１６２とを、現品管理票データ照合手段４１５３において照合することによって、廃家電品２の現品と管理票０の双方の受入情報が正しいことを確認された受入情報である。該受入情報４１６３は、前記照合データベース手段４１００の内部に設けられた送信手段によって送信され、電話回線やＩＳＤＮ回線などの通信手段を経て、廃家電品現品追跡管理手段１０３内の管理情報格納手段に格納されたものである。
【０１１０】
これに対して、同表中の、前記受入情報４１６３の欄の右の順番に並んでいる保管手段，二次輸送手段，リサイクル手段のそれぞれの欄には、廃家電品２の保管手段４００，二次輸送手段５００，リサイクル手段６００における受け入れの段階と出庫もしくは終了の両方の段階において、廃家電品２に添付されたシール１のシール番号１００２を読み取って入力するようになっている。前記各手段におけるシール番号１００２を読み取りと入力の方法としては、廃家電品保管手段４００および廃家電品二次輸送手段５００，リサイクル手段６００の各段階において、前述と同じように文字情報入力手段によってシール番号１００２を入力するか、あるいは同様に、バーコードリーダによってシール１のバーコード１００３を読み取った上で、シールのバーコード情報からシール番号情報を抽出するシール情報抽出手段によって、読み取ったバーコード情報からシール情報を抽出すればよい。ここで前記シール情報抽出手段とは、予めシール１のシール番号１００２に対応してシールのバーコード１００３を生成したときのアルゴリズムを逆に用いて、シールのバーコード情報からのシール番号情報を抽出するものであればよい。このようにして、廃家電品保管手段４００および廃家電品二次輸送手段５００，リサイクル手段６００の各段階において読み取り・入力されたシール番号の情報はそれぞれ、保管情報管理手段４１０および輸送情報管理手段５１０，処理情報管理手段６１０に転送されて、これらの各情報管理手段の内部に設けられた情報格納手段に格納され、さらに前記情報管理手段の内部に備えられた送信手段によって送信され、電話回線やＩＳＤＮ回線などの通信手段による通信を経て、廃家電品現品追跡管理手段１０３内の管理情報格納手段に格納される。このような情報処理の結果、図中の表を例に示すと、例えばシール番号が１０００１番であるＢ社製の２００Ｌ型の冷蔵庫については、受け入れが確認されており、また保管手段における受け入れから二次輸送手段における輸送の受け入れまでの各段階で現品が確認されているが、二次輸送手段における輸送の終了がまだである、ということがわかる。
【０１１１】
本方法では、以上のように、廃家電品２の現品と管理票０の双方の受け入れ情報が正しいことを確認された受入情報４１６３に対して、保管手段４００，二次輸送手段５００，リサイクル手段６００のそれぞれにおける受け入れおよび出庫または終了の時点ごとに、廃家電品２の現品に添付されたシール１上のシール番号１００２を読み取って、読み取られたシール番号をリスト化することによって、受け入れの正しいことの確認された家電品２が現在、一連の受け渡しのどの段階にあるかを確認することができる。
【０１１２】
なお、ここではシール番号によって現品を確認する例を示したが、シールに添付された管理票番号によって現品確認を行ってもよい。またここでは、受け入れ情報の確認をするための、シール１及び管理票０の情報の読み取り・入力を前述の実施例５に従い、廃家電品保管手段４００で行うとしたが、これは例えば、前記廃家電品受領・一次輸送手段300で行ってもよい。
【実施例７】
【０１１３】
本リサイクルシステムにおける在庫管理および輸送計画，リサイクル手段の運転処理計画について、以下図７の実施例に基づき説明する。在庫管理は、複数の保管手段４００とリサイクル手段６００とリサイクル情報統括管理手段１００により、実施される。保管手段４００は照合データベース手段４１００と保管ヤード４０９と保管情報管理手段４１０並びに在庫管理手段４２０からなる。廃家電品の入庫情報Ａは保管手段４００内の照合データベース手段４１００に入力され、図５の実施例で説明したように、廃家電品に付随してきた管理票と廃家電品に添付されているシール番号とを照合して、入庫情報Ａ及び照合結果情報Ｄを保管情報管理手段４１０に、入庫情報Ａを在庫管理手段４２０に出力する。保管情報管理手段４１０では、入庫情報Ａ及び照合結果情報Ｄを受けて、出庫指令情報Ｃを保管ヤード４０９に出力する。在庫管理手段４２０では、入庫情報Ａを受けて、在庫情報ａ１をリサイクル情報統括管理手段１００内の輸送計画決定手段５２０に出力する。同様に、他の保管手段よりの複数の在庫情報ａ２，ａ３等がリサイクル情報統括管理手段
１００内の輸送計画決定手段５２０に出力される。リサイクル手段６００は荷受場所601及び処理終了情報入力手段６９８を有する。荷受場所６０１では、荷受場所６０１での在庫情報ｂ１をリサイクル情報統括管理手段１００内の輸送計画決定手段５２０及び運転処理計画立案手段６２０へ出力するとともに、入庫情報ｄ１をリサイクル情報統括管理手段１００内の運転処理計画立案手段６２０へ出力する。リサイクル手段６００内の処理終了情報入力手段６９８では、リサイクル手段６００で処理された廃家電品の処理結果情報
ｆ１をリサイクル情報統括管理手段１００内の処理情報管理手段６１０へ出力する。リサイクル情報統括管理手段１００内の輸送計画決定手段５２０では、保管手段４００からの在庫情報ａ１，ａ２及びａ３並びにリサイクル手段６００内の荷受場所６０１からのリサイクル手段６００での在庫情報ｂ１を受けて、保管手段４００を含む複数の保管手段から前記リサイクル手段６００へ輸送する廃家電品の輸送計画、たとえば、輸送ルート，輸送品目及び品目毎の量を決定し、輸送手段へ伝達する。このような伝達手段としては、前記輸送手段に無線や携帯型の計算機等を設備することで達成可能である。
【０１１４】
また、リサイクル情報統括管理手段１００内の運転処理計画立案手段６２０では、リサイクル手段６００内への入庫情報ｄ１及び該リサイクル手段６００の荷受場所６０１からの在庫情報ｂ１を受けて、該リサイクル手段６００における運転処理計画を立案し、該リサイクル手段６００の運転処理指令情報ｅ１を出力する。該リサイクル手段６００では、この運転指令情報ｅ１を受けて、該リサイクル手段６００内の処理ライン（図では省略）を運転することで、該リサイクル手段６００内の在庫量を減少させ、新たなる入庫に備えることができる。このようにすることで、例えば、ＴＶが無いときはテレビ処理ラインを停止したり、冷蔵庫の処理量が計画量よりも多い場合は運転時間を延長することが可能になる。
【０１１５】
さらに、前記リサイクル手段６００における処理結果の情報を入力する処理結果情報入力手段６１０と、該処理終了情報入力手段６９８で入力した情報を格納するデータベース手段（図では省略）と、該データベース手段からの特定廃棄物の処理終了の有無を出力する「処理終了情報出力手段（処理情報管理手段６１０内蔵、図では省略）」を有することにより、前記リサイクル手段６００における特定の廃棄物の処理が終了した情報をリサイクル情報統括管理システム１００内で保有することができ、前記保管手段４００内での在庫管理手段４２０と連携することにより、該特定の廃棄物の受け入れが可能である情報を輸送計画決定手段５２０へ出力することで、該保管手段４００から前記リサイクル手段
６００への輸送計画立案に反映させることが可能になる。これにより、前記リサイクル手段６００内の処理ラインの負荷の均一化を図ると同時に、前記保管手段４００の在庫量削減が図れ、廃家電品適正処理に寄与できる。
【図面の簡単な説明】
【０１１６】
【図１】本発明のリサイクルシステムの一実施例を表すブロック構成図。
【図２】本発明のシールの一実施例を表すシールの図。
【図３】本発明の管理票の一実施例を表す管理票の図。
【図４】本発明による管理票の移動の一実施例を表すフロー図。
【図５】本発明のリサイクルシステムにおけるデータ照合方法の一実施例を表すフロー図。
【図６】本発明のリサイクルシステムにおける現品追跡管理情報の一実施例を表す現品追跡管理情報表。
【図７】本発明によるリサイクルシステムの運用管理方法の一実施例を表すフロー図。
【符号の説明】
【０１１７】
０…管理票、１…シール、９…排出者、９９…処理料金、１００…リサイクル情報統括管理手段、１０１…料金情報管理手段、１０２…料金情報配分手段、１０３…廃家電品現品追跡管理手段、２００…シール発行手段、３００…廃家電品受領・一次輸送手段、301…管理票Ａ保管手段、３１０…受領・一次輸送情報手段、３３０…受領・一次輸送料金管理情報手段、４００…廃家電品保管手段、４０１…管理票Ｂ１保管手段、４０２…管理票Ｃ１保管手段、４０３…管理票Ｄ１保管手段、４１０…保管情報管理手段、４２０…在庫管理手段、４３０…保管料金情報管理手段、４９９…保管ヤード、５００…廃家電品二次輸送手段、５１０…輸送情報管理手段、５２０…輸送計画決定手段、５３０…輸送料金情報管理手段、６００…リサイクル手段、６０１…材料・部品再生手段、６０２…残渣処分手段、６１０…処理情報管理手段、６２０…運転処理計画立案手段、６３０…リサイクル料金情報管理手段、６９８…荷受場所、６９９…処理終了情報入力手段、１００１…情報、１００２…シール番号、１００３…品目・大きさ情報のバーコード、１００４…品目・大きさ情報、１００５…識別番号、１００６…シールの発行元番号、２００１…廃家電品管理票記載欄、２００２…管理票番号、２００３…品目・大きさ情報記載欄、２００４…排出者情報記載欄、２００５…受領・一次輸送手段管理情報記載欄、２００６…二次輸送手段引き受け・終了情報記載欄、２００７…リサイクル手段受け・終了情報記載欄、2008
…シール番号記載欄、２００９…廃家電管理票のバーコード、２０１０…廃家電品管理票の交付番号記載欄、２０１１…廃家電品管理票の控え保存個所指定記載欄、４１００…照合データベース手段、４１０１，４１０３…バーコードリーダ、４１０２…文字情報入力手段、４１０４…通信手段、４１０６…シール番号情報変換手段、４１１１…シールバーコード情報、４１１２…管理票番号情報、４１１３…廃家電品情報、４１１４…シール番号情報、４１１５…管理票のバーコード情報、４１１６…シールのバーコード情報、4121，４１２２，４１２３，４１２４，４１２５…記憶データ格納手段、４１３１，４１３２，４１３３，４１３４，４１３５…送信手段、４１４１…シールのバーコード情報データベース手段Ａ、４１４２…管理票のバーコード情報データベース手段Ａ、４１４３…廃家電品情報データベース手段Ａ、４１４４…シールのバーコードデータベース手段Ｂ、4145…管理票のバーコードデータベース手段Ｂ、４１５１…現品情報統合データベース手段、４１５２…管理票情報統合データベース手段、４１５３…現品・管理票データ照合手段、４１６１…現品受入情報、４１６２…管理票受入情報、４１６３…受入情報。
【図１】
2005170684.tif 000003
【図２】
2005170684.tif 000004
【図３】
2005170684.tif 000005
【図４】
2005170684.tif 000006
【図５】
2005170684.tif 000007
【図６】
2005170684.tif 000008
【図７】
2005170684.tif 000009